(57)【特許請求の範囲】
【請求項１】
戸建住宅の１階の平面視略Ｌ字型をしたリビングダイニングキッチンの一部を仕切って設けられた化粧空間であって、
該化粧空間は、リビングダイニングキッチンと扉レスで連続し、かつ、居住空間からの視線が遮られた空間であり、
該リビングダイニングキッチンから該化粧空間ヘ到るアプローチが略Ｓ字型となっており、
該化粧空間は中央部に、横方向に伸びた幅広のカウンターと、該カウンターの上面から上方に向けて突出し正面側に鏡を備え、カウンターの幅よりも短く、カウンターの中央部に設けられた仕切板を有する化粧台が、化粧空間とアプローチが連接する入り口を有する壁面と垂直となるように、一方の端部を壁面と対向する壁面に当接させて設けられ、
該化粧台により化粧空間が２つの空間に分割されており、
化粧空間の天井高が、リビングダイニングキッチンの天井高より低くなっており、
化粧空間及びアプローチには間接照明としての照明装置が設けられていることを特徴とする化粧空間。  
【請求項２】
前記化粧空間の少なくとも一つのコーナー部がＲ形状となっている請求項１に記載の化粧空間。
【請求項３】
前記化粧空間の少なくとも一つの壁面が屋外と連続する窓である請求項１または２に記載の化粧空間。
【請求項４】
前記化粧空間の少なくとも一つの壁面に開口部が設けられ、該開口部により、化粧空間と前記居住空間が連通している請求項１から３のいずれか１項に記載の化粧空間。
【発明の詳細な説明】
【技術分野】
【０００１】
本発明は、住宅の居住空間の一部を仕切って設けられた化粧空間に関する。
【背景技術】
【０００２】
従来、住居内で女性が化粧を行うのは、洗面所に設けられた洗面化粧台や寝室に備え付けられた化粧台に向かってすることが常であった。
【先行技術文献】
【特許文献】
【０００３】
【特許文献１】特開２００９−８２３９０号公報
【発明の概要】
【発明が解決しようとする課題】
【０００４】
化粧は女性が、日常から非日常へと変貌する手段であり、女性にとっては有意義な癒しの作業であるにもかかわらず、従来の住宅では日常生活の延長上である寝室や洗面所などの生活空間で化粧が行われており、女性にとって化粧をするという行為を楽しむための空間が提供されていなかった。
【０００５】
特に洗面台に設けられた洗面化粧台や寝室に備え付けられた化粧台は壁面に沿って設けられており、化粧が壁面に向かってする作業となってしまい、壁面の圧迫感を感じながら化粧をすることになり、化粧をする行為が癒しとなるとはいえない状況であった。
【０００６】
今後ますます女性の社会進出が増え、ストレスを感じる女性が増える状況にあるなか、発明者は繭の中に包まれて癒されるような空間を演出し、日常生活の中で、女性がリラックスでき、癒しを感じることのできる化粧空間の提案が必要であるという発想に到った。
【０００７】
本発明は、以上のような問題点に鑑み、住宅内において女性が化粧をすることが癒しとなり、非日常性を体感することができる空間を提供すること、さらには繭の中に包み込まれて癒されるような癒しの空間を提供することを課題とする。
【課題を解決するための手段】
【０００８】
上記の課題は、住宅の居住空間の一部を仕切って設けられた化粧空間であって、該化粧空間は、居住空間と扉レスで連続し、かつ、居住空間からの視線が遮られた空間であり、該化粧空間は中央部に、カウンターと、カウンターから上方に向けて突出し正面側に鏡を備えた仕切板を有する化粧台が設けられ、該化粧台により化粧空間が２つの空間に分割されていることを特徴とする化粧空間により解決される。
【０００９】
この化粧空間は、居住空間の一部を仕切って設けられており、居住空間からの視線が遮られているので、化粧空間内で、家族の視線を気にすることなく、ゆったりとした気分で化粧を行うことができる一方で、居住空間とは扉レスで連続しているため、化粧空間が独立した部屋ではなく、家族から独立して引きこもって化粧をするのではなく、家族の気配を感じながら化粧をすることができる。
【００１０】
そして、化粧空間の中央部には化粧台が設けられているので、化粧は壁に向かってではなく、部屋の中央部を向かってすることになり、化粧台が壁に向かって配置されているときのように壁からの圧迫感を受けることなく、化粧台の鏡を備えた仕切板の周囲を介して化粧台の背面側の空間を認識しながら開放的な気分で化粧をすることができる。
【００１１】
そして、化粧台により化粧空間が２つの空間に分割されているので、化粧空間を化粧台の正面側の化粧をするための空間と化粧台の背面側の化粧以外の行為をするための空間とに分けて利用することができるので、化粧台の正面側の空間では化粧をし、化粧の背面側の空間では時間をかけてパックをするなど、その用途に合わせて多目的に使うことができる。なお、ここで化粧空間が２つの空間に分割されているとは、化粧空間が完全に２つの空間に仕切られていることを意味するのではなく、化粧空間の利用上２つの空間に分割されている場合を指し、化粧空間が全体として１つの空間である意味で用いている。
【００１２】
上記の化粧空間において、化粧台の一方の側端部が前記化粧空間の壁面に当接しているとよい。
【００１３】
化粧台の一方の側端部が化粧空間の壁面に当接しているので、化粧空間を化粧台の正面側の空間と背面側の空間２つの空間に略コの字型に２つの空間に分割され、それぞれの空間が通り抜けできないことにより、それぞれの空間にいるときに包まれ感を感じることができ、それぞれの空間を行き来する動線が１つに確定される。
【００１４】
また、上記の化粧空間において、化粧空間の天井高が、前記居住空間の天井高より低くなっているとよい。
【００１５】
化粧空間の天井高が、居住空間の天井高より低くなっているので、居住空間から化粧空間に移動したときに、異空間へ入った感覚を感じることができ、また、天井高が低いことにより包まれ感がうまれ、あたかも自分か繭の中に包まれているかのような感覚を感じることができる。
【００１６】
また、上記の化粧空間において、居住空間から化粧空間ヘ到るアプローチが略Ｓ字型となっているとよい。
【００１７】
居住空間から化粧空間へ到るアプローチが略Ｓ字型になっているので、居住空間と化粧空間が扉レスで連続しているにもかかわらず、居住空間からの視線を確実に遮ることができる。また、住居空間という日常性の空間から化粧空間という非日常性の空間への移行を演出することができる。
【００１８】
また、上記化粧空間において、化粧台に正面側及び背面側からアクセス可能な洗面部が設けられているとよい。
【００１９】
化粧台に正面側及び背面側からアクセス可能な洗面部が設けられているので、化粧空間の２つの分割された化粧台の正面側の空間と背面側の空間どちらからでも、化粧台の洗面部を利用することができる。
【００２０】
また、上記化粧空間において、少なくとも一つのコーナー部がＲ形状となっているとよい。
【００２１】
化粧空間の少なくとも一つのコーナー部が角型でなくＲ形状であることで、丸みをおびた印象を与え、化粧空間にいる人はやさしく包まれた癒しの空間を実感することができる。なお、ここでコーナー部とは壁面と壁面により構成されたコーナー部だけでなく、壁面と天井面、壁面と床面により構成されるコーナー部も含む意味で用いている。
【００２２】
また、上記化粧空間において、少なくとも一つの壁面が屋外と連続する窓であるとよい。
【００２３】
化粧空間の少なくとも一つの壁面が屋外と連続する窓であるので、太陽光を取り込むことができ、化粧をする際、蛍光灯や白熱灯だけでなく、太陽光も活用してさまざまな光に対応した化粧を行うことができる。
【００２４】
また、上記化粧空間において、化粧空間の少なくとも一つの壁面に開口部が設けられ、開口部により、化粧空間と居住空間が連通しているとよい。
【００２５】
化粧空間の少なくとも一つの壁面に開口部が設けられ、開口部により、化粧空間と居住空間が連通していることで、ひとりでこもりがちな化粧空間でありながら、居住空間の人の気配を感じることができ、家族がそばにいる安心感を体感しながら自分ひとりのプライベート空間を楽しむことができる。とくに、小さい子供を抱える女性にとっては、子供の気配を感じながら化粧をすることができるので、安心することができる。
【発明の効果】
【００２６】
本発明は以上のとおりであるから、住宅内において女性が化粧をすることが癒しとなり、非日常性を体感することができる空間を提供すること、さらには繭の中に包み込まれて癒されるような癒しの空間を提供することができる。
【図面の簡単な説明】
【００２７】
【図１】本発明の実施形態である化粧空間が適用される住宅の１階平面図である。
【図２】化粧空間を示す図１の要部拡大平面図である。
【図３】化粧台を示す斜視図である。
【図４】化粧空間を示す、図２のＡ−Ａ線断面図である。
【発明を実施するための形態】
【００２８】
次に、本発明の実施形態を図面に基づいて説明する。
【００２９】
図１，２に示す本発明の実施形態である化粧空間１において、２は化粧空間１が設けられる戸建住宅、３は居住空間としてのリビングダイニングキッチンである。図１，２はそれぞれ戸建住宅２の１階平面図、１階部分平面図であり、戸建住宅２の１階には化粧空間１、リビングダイニングキッチン３の他、納戸５、廊下６、玄関７、洗面所８、浴室９、トイレ１０が設けられている。
【００３０】
化粧空間１は、戸建住宅２の１階のリビングダイニングキッチン３の一部を壁面で仕切ることにより設けられた空間であり、リビングダイニングキッチン３とは扉が設けられず行き来自在に連続しており、化粧空間１として閉じられた一つの個室としてではなく、化粧空間１はリビングダイニングキッチン３の壁面で仕切られた一部の空間として設けられる。本実施形態では、リビングダイニングキッチン３が平面視略Ｌ字型をしており、リビングダイニングキッチン３のうち、屋外側に突出した部分が化粧空間１とされている。
【００３１】
リビングダイニングキッチン３から化粧空間１へは、２度の直角方向への方向転換を経て到るように略Ｓ字型のアプローチ１１が設けられており、アプローチ１１の照明は、リビングダイニングキッチン３という日常性の空間から化粧空間１という非日常性の空間への移行を演出するための間接照明が設けられている。
【００３２】
化粧空間１の平面は、平面視方形をしており、中央部には化粧台１２が、化粧空間１とアプローチ１１が連接する入り口１３を有する壁面１４と垂直となるように、一方の端部を壁面１４と対向する壁面１５に当接させて設置されている。
【００３３】
化粧台１２は、図３に示すように、横方向に伸びた幅広のカウンター１２ａと、カウンター１２ａの上面から上方に向けて突出し、化粧台１２の正面側に鏡１５を備えた平板状の仕切板１２ｂを有する。仕切板１２ｂは、その幅がカウンター１２ａの幅よりも短く、カウンター１２ａの中央部に設けられ、化粧をする人は、仕切板１２ｂの両側及び上方の仕切板１２ｂで仕切られていない空間を介して、化粧台１２で仕切られた化粧台１２の背面側の空間を認識することができる。また、後述するように、仕切板１２ｂで仕切られていない空間を介して、化粧台１２の背面側より洗面部１７へのアクセスが可能となっている。仕切板１２ｂの鏡１５が備えられた側の鏡１５を挟む両横側には、縦方向に沿って化粧をするための照明装置１６，１６が設けられている。照明措置１６，１６には、自然光の色温度に近い５０００ケルビンの色温度を有する照明、例えば昼白色蛍光灯などが用いられている。また、仕切板１２ｂは、カウンター１２ａの前縁部１２２ａから鏡１５までの距離が、化粧時に化粧をする人が前屈みにならなくても、鏡に自分の顔を十分に映しながら化粧が行える距離、例えば３０〜４０ｃｍ、特に３５ｃｍとなるように設けられている。
【００３４】
化粧台１２の化粧空間１の壁面と当接しない側の端部には、洗面部１７が設けられている。洗面部１７は、給水栓１８と水を受ける洗面ボウル１９からなり、給水栓１８及び洗面ボウル１９は、化粧台１２の正面側、背面側、側面側の３方向から使用できるようにアクセス可能となっている。
【００３５】
カウンター１２ａと仕切板１２ｂとの間には、洗面部１７と一体となった収納部２０が設けられている。収納部２０は、複数の引き出し式の収納庫２１‥で構成され、一部の収納庫２１の上面２２ａは、内部の収納物が確認できるようにガラスなどの透過性の材料で覆われており、収納庫２１‥を単なる収納するためだけのスペースとして利用するのではなく、大切なモノやお気に入りのモノなどを飾り、眺めるためのスペースとしても活用することができる。また、一部の収納庫２１の上面は、周辺部より一段低い凹部２２ｂが設けられ、収納庫２１‥の上面に置いてある化粧品などが化粧の途中で滑り落ちたりしないようになされている。なお、カウンター１２ａの下面に設けられた２３‥は、収納ケースである。
【００３６】
化粧台１２によって化粧空間１は、化粧台１２の正面側の化粧をするための空間２７と化粧台１２の背面側の化粧以外の行為をするための空間２８とに分割され、化粧台１２の背面側の化粧以外の行為をするための空間２８には、やわらかなフロアマット２９とともにソファ３０やテーブル３３が設置され、リラックスした時間を過ごせるようになされており、読書をしたり音楽を聞いたりなど一人の時間を楽しんだり、パックなど時間のかかる化粧時などに活用することができる。
【００３７】
図４に示すように、化粧空間１の天井は、化粧空間１の壁面２４‥との間に隙間を有する天井パネル２５が、リビングダイニングキッチン３と比較して天井高さが低くなるように吊り下げられており、化粧空間１の天井高さがリビングダイニングキッチン３と比較して低くなっている。また、天井パネル２５の上面側外周部には、間接照明としての照明装置２６が設けられ、壁面２４‥と天井パネル２５との隙間を介して、化粧空間１を間接的に照明する。
【００３８】
また、図１，２に示すように化粧空間１及びアプローチ１１のコーナー部３１は、Ｒ形状となるようになされている。また、化粧空間１の壁面の一部には屋外と連続する窓３２が設けられている。
【００３９】
化粧空間１とリビングダイニングキッチン３を仕切る壁面２４の上方部には、化粧空間１とリビングダイニングキッチン３とを連通する開口部３４が設けられている。開口部３４を介して、化粧空間１に居ながらにして、リビングダイニングキッチン３の人の気配を感じることができる。
【００４０】
この化粧空間は、リビングダイニングキッチンの一部を仕切って設けられており、リビングダイニングキッチンからの視線が遮られているので、化粧空間内で、家族の視線を気にすることなく、ゆったりとした気分で化粧を行うことができる一方で、リビングダイニングキッチンとは扉レスで連続しているため、化粧空間が独立した部屋ではなく、家族から独立して引きこもって化粧をするのではなく、家族の気配を感じながら化粧をすることができる。
【００４１】
そして、化粧空間の中央部には化粧台が設けられているので、化粧は壁に向かってではなく、部屋の中央部を向かってすることになり、化粧台が壁に向かって配置されているときのように壁からの圧迫感を受けることなく、化粧台の鏡を備えた仕切板の周囲を介して化粧台の背面側の空間を認識しながら開放的な気分で化粧をすることができる。
【００４２】
そして、化粧台により化粧空間が２つの空間に分割されているので、化粧空間を化粧台の正面側の化粧をするための空間と化粧台の背面側の化粧以外の行為をするための空間とに分けて利用することができるので、化粧台の正面側の空間では化粧をし、化粧の背面側の空間では時間をかけてパックをするなど、その用途に合わせて多目的に使うことができる。
【００４３】
また、化粧台の一方の端部が化粧空間の壁面に当接しているので、化粧空間を化粧台の正面側の空間と背面側の空間２つの空間に略コの字型に２つの空間に分割され、それぞれの空間が通り抜けできないことにより、それぞれの空間にいるときに包まれ感を感じることができ、それぞれの空間を行き来する動線が１つに確定される。
【００４４】
また、化粧空間の天井高が、リビングダイニングキッチンの天井高より低くなっているので、リビングダイニングキッチンから化粧空間に移動したときに、異空間へ入った感覚を感じることができ、また、天井高が低いことにより包まれ感がうまれ、あたかも自分か繭の中に包まれているかのようか感覚を感じることができる。特に、化粧空間の床面積がプランの制約上小さくなってしまった場合でも、天井高さを低くなっているので、化粧空間内の高さと平面積の比率により、包まれ感を感じることができる。
【００４５】
また、リビングダイニングキッチンから化粧空間へ到るアプローチが略Ｓ字型になっているので、リビングダイニングキッチンと化粧空間が扉レスで連続しているにもかかわらず、リビングダイニングキッチンからの視線を確実に遮ることができる。また、リビングダイニングキッチンという日常性の空間から化粧空間という非日常性の空間への移行を演出することができる。
【００４６】
また、化粧台に正面側及び背面側からアクセス可能な洗面部が設けられているので、化粧空間の２つの分割された化粧台の正面側の空間と背面側の空間どちらからでも、化粧台の洗面部を利用することができる。
【００４７】
また、化粧空間の少なくとも一つのコーナー部が角型でなくＲ形状であることで、丸みをおびた印象を与え、化粧空間にいる人はやさしく包まれた癒しの空間を実感することができる。
【００４８】
また、化粧空間の少なくとも一つの壁面が屋外と連続する窓であるので、太陽光を取り込むことができ、化粧をする際、蛍光灯や白熱灯だけでなく、太陽光も活用してさまざまな光に対応した化粧を行うことができる。
【００４９】
また、化粧空間の少なくとも一つの壁面に開口部が設けられ、開口部により、化粧空間とリビングダイニングキッチンが連通していることで、こもりがちになってしまう化粧空間でありながら、リビングダイニングキッチンの人の気配を感じることができ、家族がそばにいる安心感を体感しながら自分ひとりのプライベート空間を楽しむことができる。とくに、小さい子供を抱える女性にとっては、子供の気配を感じながら化粧をすることができるので、安心することができる。
【００５０】
そして、住宅内において女性が化粧をすることが癒しとなり、非日常性を体感することができる空間が実現でき、さらには繭の中に包み込まれて癒されるような癒しの空間を実現することができる。
【００５１】
以上に、本発明の実施形態を示したが、本発明はこれに限られるものではなく、発明思想を逸脱しない範囲で各種の変更が可能である。例えば、上記の実施形態では、
【００５２】
また、上記実施形態では、化粧空間を建物の１階のリビングダイニングキッチンの一部に設けた場合について示したが、２階の居住空間の一部に設けてもよいし、居住空間とはリビングダイニングキッチンにかぎらず、リビングであってもよいし、和室であってもよいし、キッチンであってもよい。また、居住空間に対する化粧空間の位置に限定はなく、上記実施例のように居住空間の端部に限定されず、中央部にあってもよいのはいうまでもない。
【符号の説明】
【００５３】
１・・・化粧空間
２・・・戸建住宅
３・・・居住空間（リビングダイニングキッチン）
１１・・・アプローチ
１２・・・化粧台
１３・・・カウンター
１４・・・仕切板
１５・・・鏡
１７・・・洗面部
１８・・・給水栓
１９・・・洗面ボウル
２０・・・収納部
２７・・・化粧台の正面側の化粧をするための空間
２８・・・化粧台の背面側の化粧以外の行為をするための空間
３１・・・コーナー部
３２・・・窓
３４・・・開口部
【図１】
0005777314.tif 000002
【図２】
0005777314.tif 000003
【図３】
0005777314.tif 000004
【図４】
0005777314.tif 000005